【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
車輌に設けた受電装置へ非接触で給電する給電装置であって、
所定のデータ系列を有する第１テストデータ列を、コイルを用いて前記受電装置へ送信する送信手段と、
前記送信手段が送信する前記第１テストデータ列を送信させるよう制御する制御手段と、
前記受電装置が前記第１テストデータ列を受信し、受信した前記第１テストデータ列を復調して第２テストデータ列として送信したデータ列を受信する受信手段と、
前記送信手段が送信した前記第１テストデータ列と前記受信手段が受信した前記第２テストデータ列とが一致するか否かに基づいて、前記受電装置と前記給電装置との間における障害物の有無を判定する判定手段と、
を具備する給電装置。
【請求項２】
前記送信手段は、前記第１テストデータ列を、コイルの電磁誘導を用いて前記受電装置へ送信する、
請求項１に記載の給電装置。
【請求項３】
前記制御手段は、送信電力レベルを増加させて前記第１テストデータ列を前記送信手段から繰り返し送信させるよう制御し、
前記判定手段は、前記送信手段が送信した前記第１テストデータ列と前記受信手段が受信した前記第２テストデータ列とが一致した場合、前記送信手段が前記第１テストデータ列を送信した際の送信電力レベルに基づいて、前記受電装置と前記給電装置との間における障害物の有無を判定する、
請求項１に記載の給電装置。
【請求項４】
給電装置から非接触で給電を受け、前記給電装置と受電装置との間における障害物の有無を判定するためのデータ列を送信する、車輌に設けられた受電装置であって、
コイルを用いて前記給電装置から送信された第１テストデータ列を受信する受信手段と、
前記受信手段により受信された前記第１テストデータ列を復調し、第２テストデータ列を生成する復調手段と、
前記復調手段により生成された前記第２テストデータ列を前記給電装置へ送信する送信手段と、
を具備する受電装置。
【請求項５】
前記送信手段は、前記第２テストデータ列を、前記第１テストデータ列の示す送信電力レベルによって前記給電装置に送信する、
請求項４に記載の受電装置。
【請求項６】
車輌に設けられた受電装置と、前記受電装置へ非接触で給電する給電装置とを備える充電システムであって、
前記給電装置は、
所定のデータ系列を有する第１テストデータ列を、コイルを用いて前記受電装置へ送信する第１送信手段と、
前記第１送信手段が送信する前記第１テストデータ列を送信させるよう制御する制御手段と、
前記受電装置が前記第１テストデータ列を受信し、受信した前記第１テストデータ列を復調して第２テストデータ列として送信したデータ列を受信する第１受信手段と、
前記第１送信手段が送信した前記第１テストデータ列と前記第１受信手段が受信した前記第２テストデータ列とが一致するか否かに基づいて、前記受電装置と前記給電装置との間における障害物の有無を判定する判定手段と、
を有し、
前記受電装置は、
前記第１テストデータ列を前記給電装置から受信する第２受信手段と、
前記第２受信手段により受信された前記第１テストデータ列を復調し、第２テストデータ列を生成する復調手段と、
前記復調手段により生成された前記第２テストデータ列を前記給電装置へ送信する第２送信手段と、
を有する、
充電システム。
【請求項７】
車輌に設けられた受電装置と、前記受電装置へ非接触で給電する給電装置と、の間における障害物の有無を判定する障害物検出方法であって、
所定のデータ系列を有する第１テストデータ列を、コイルを用いて前記受電装置に送信する送信工程と、
前記送信工程にて送信する前記第１テストデータ列を送信させるよう制御する制御工程と、
前記送信工程にて送信した前記第１テストデータ列と、前記受電装置が前記第１テストデータ列を受信し、受信した前記第１テストデータ列を復調した第２テストデータ列と、が一致するか否かに基づいて、前記受電装置と前記給電装置との間における障害物の有無を判定する判定工程と、
を具備する障害物検出方法。
【手続補正２】
【補正対象書類名】明細書
【補正対象項目名】０００８
【補正方法】変更
【補正の内容】
【０００８】
本発明の給電装置は、車輌に設けた受電装置へ非接触で給電する給電装置であって、所定のデータ系列を有する第１テストデータ列を、コイルを用いて前記受電装置に送信する送信手段と、前記送信手段が送信する前記第１テストデータ列を送信させるよう制御する制御手段と、前記受電装置が前記第１テストデータ列を受信し、受信した前記第１テストデータ列を復調して第２テストデータ列として送信したデータ列を受信する受信手段と、前記送信手段が送信した前記第１テストデータ列と前記受信手段が受信した前記第２テストデータ列とが一致するか否かに基づいて、前記受電装置と前記給電装置との間における障害物の有無を判定する判定手段と、を具備する構成を採る。
【手続補正３】
【補正対象書類名】明細書
【補正対象項目名】０００９
【補正方法】変更
【補正の内容】
【０００９】
本発明の受電装置は、給電装置から非接触で給電を受け、前記給電装置と受電装置との間における障害物の有無を判定するためのデータ列を送信する、車輌に設けられた受電装置であって、コイルを用いて前記給電装置から送信された第１テストデータ列を受信する受信手段と、前記受信手段により受信された前記第１テストデータ列を復調し、第２テストデータ列を生成する復調手段と、前記復調手段により生成された前記第２テストデータ列を前記給電装置へ送信する送信手段と、を具備する構成を採る。
【手続補正４】
【補正対象書類名】明細書
【補正対象項目名】００１０
【補正方法】変更
【補正の内容】
【００１０】
本発明の充電システムは、車輌に設けられた受電装置と、前記受電装置へ非接触で給電する給電装置とを備える充電システムであって、前記給電装置は、所定のデータ系列を有する第１テストデータ列を、コイルを用いて前記受電装置へ送信する第１送信手段と、前記第１送信手段が送信する前記第１テストデータ列を送信させるよう制御する制御手段と、前記受電装置が前記第１テストデータ列を受信し、受信した前記第１テストデータ列を復調して第２テストデータ列として送信したデータ列を受信する第１受信手段と、前記第１送信手段が送信した前記第１テストデータ列と前記第１受信手段が受信した前記第２テストデータ列とが一致するか否かに基づいて、前記受電装置と前記給電装置との間における障害物の有無を判定する判定手段と、を有し、前記受電装置は、前記第１テストデータ列を前記給電装置から受信する第２受信手段と、前記第２受信手段により受信された前記第１テストデータ列を復調し、第２テストデータ列を生成する復調手段と、前記復調手段により生成された前記第２テストデータ列を前記給電装置へ送信する第２送信手段と、を有する構成を採る。
【手続補正５】
【補正対象書類名】明細書
【補正対象項目名】００１１
【補正方法】変更
【補正の内容】
【００１１】
本発明の障害物検出方法は、車輌に設けられた受電装置と、前記受電装置へ非接触で給電する給電装置と、の間における障害物の有無を判定する障害物検出方法であって、所定のデータ系列を有する第１テストデータ列を、コイルを用いて前記受電装置に送信する送信工程と、前記送信工程にて送信する前記第１テストデータ列を送信させるよう制御する制御工程と、前記送信工程にて送信した前記第１テストデータ列と、前記受電装置が前記第１テストデータ列を受信し、受信した前記第１テストデータ列を復調した第２テストデータ列と、が一致するか否かに基づいて、前記受電装置と前記給電装置との間における障害物の有無を判定する判定工程と、を具備するようにした。